(57)【要約】【課題】  従来のコンテンツ表示システムでは、銀行等のコンテンツ表示店舗でのみコンテンツを表示し、広告主が、自店舗でコンテンツを活用できないという問題点があり、本発明は、広告コンテンツを銀行等で表示すると共に広告主の店舗で表示して、広告主が、自分の広告コンテンツを活用でき、内容を確認できるコンテンツ表示システムを提供する。【解決手段】  広告主から依頼されたコンテンツを、サーバ１がスケジュールと一緒に銀行等のコンテンツ表示店舗に設けられた表示制御装置３に配信し、表示制御装置３がスケジュールに従ってコンテンツを表示端末４に表示すると共に、サーバ１が、広告主店舗用のスケジュールを作成して、広告主用スケジュールと当該広告主が注文したコンテンツとを表示装置６に出力し、表示装置６が広告主用スケジュールに従ってコンテンツを表示するコンテンツ表示システムである。【選択図】        図１
2005115445.tif 000002
【特許請求の範囲】
【請求項１】
コンテンツと前記コンテンツの表示スケジュールとをネットワークを介して配信するサーバと、前記サーバからネットワークを介してコンテンツ及び表示スケジュールを受信して、前記表示スケジュールに従って前記コンテンツを表示端末に出力する表示制御装置とを備えたコンテンツ表示システムであって、
前記サーバが、前記表示制御装置に応じた表示スケジュールを生成する手段と、前記表示制御装置にコンテンツと当該表示制御装置に応じた表示スケジュールを配信する手段と、前記表示制御装置に配信されるコンテンツの内、広告コンテンツの広告主に応じた広告主用スケジュールを生成する手段と、前記広告主の店舗に設けられた表示装置に前記広告主の広告コンテンツと前記広告主用表示スケジュールとを配信する手段とを備えたサーバであることを特徴とするコンテンツ表示システム。
【発明の詳細な説明】
【技術分野】
【０００１】
本発明は、コンピュータネットワークを利用して、広告等のコンテンツを配信するサーバと、コンテンツを受信して表示する表示装置とから成るコンテンツ表示システムに係り、特に、広告主が依頼した公共の場所で表示される広告コンテンツを自店舗用のスケジュールに従って表示して、広告コンテンツを自店舗で活用することができ、また、広告内容を容易に確認できるコンテンツ表示システムに関する。
【背景技術】
【０００２】
従来のコンテンツ表示システムについて説明する。
従来、銀行等の店舗では、来店客に金利情報やニュース、広告等を提供するコンテンツ表示システムが設けられている。コンテンツとしては、動画、静止画、文字情報、グラフィック表示、ビデオ映像等がある。
【０００３】
図１７は、従来のコンテンツ表示システムの一例を示す概略構成ブロック図である。
図１７に示すように、従来のコンテンツ表示システムは、コンテンツを配信するセンタに設けられたサーバ１′と、入力装置２と、コンテンツを表示するコンテンツ表示店舗に設けられた表示制御装置３と、表示制御装置３に接続された表示端末４と、サーバ１′と表示制御装置とを接続するＷＡＮ（Wide Area Network）等のネットワーク５′とから構成されている。尚、コンテンツ表示店舗においては、表示制御装置３に、ＬＡＮ（Local Area Network）等のネットワークを介して複数の表示端末４が接続されているものもある。
【０００４】
各構成部分について具体的に説明する。
センタに設けられた入力装置２は、コンテンツを入力したり、システム管理者がスケジュール作成の指示を入力するものである。
また、センタのサーバ１′は、入力装置２から入力されたコンテンツと、入力装置２からの指示に従って作成したスケジュールとを記憶しておき、コンテンツ表示店舗の表示制御装置３に表示スケジュールとコンテンツとを配信するものである。
【０００５】
コンテンツ表示店舗に設けられた表示制御装置３は、サーバ１′から配信された表示スケジュール及びコンテンツを記憶しておき、スケジュールに従って、コンテンツを読み出して表示端末４に出力するものである。
また、表示端末４は、表示制御装置３から入力されたコンテンツを表示出力するものである。
【０００６】
従来のコンテンツ表示システムにおける動作について図１７を用いて説明する。
従来のコンテンツ表示システムでは、まず、センタの入力装置２からコンテンツが入力されると、サーバ１′は、入力されたコンテンツを特定の記憶部（データベース等、図示せず）に記憶しておく。
【０００７】
また、サーバ１′は、入力装置２からの指示に基づいて、表示店舗においてどのコンテンツをいつ表示するかを規定する表示スケジュールを作成し、表示スケジュールを特定の記憶部に記憶しておく。表示スケジュールは、店舗毎に対応して作成されている。
【０００８】
そして、サーバ１′は、ネットワーク５′を介して表示制御装置３に表示スケジュールとコンテンツとを配信し、表示制御装置３は、表示スケジュールとコンテンツとを記憶しておき、定期的に表示スケジュールと現在日時とを比較して、表示スケジュールに従ってコンテンツを表示端末４に出力し、表示端末４の画面においてコンテンツを表示するようになっていた。
【０００９】
また、従来のコンテンツ表示システムの例としては、表示制御装置において、所望のコンテンツを指定するとともに、所望のコンテンツを表示するスケジュールを設定する所望コンテンツ表示設定手段を設け、所望コンテンツ表示設定手段が設定したスケジュールに従って、所望のコンテンツを、サーバから送信されたスケジュールに優先して表示するコンテンツ表示システムがあった（特許文献１参照）。
【００１０】
また、表示装置の設置される店舗の場所や、表示の時間帯に応じて広告の表示料金を設定しておき、広告主からの申し込みに従って各々の表示装置に広告を表示する権利を販売して、表示に応じて広告主に課金するものもあった（特許文献２参照）。
【００１１】
【特許文献１】特開２００２−２５９７１２号公報（第３−５頁）
【特許文献２】特開２００２−１１２２３６号公報（第４−１１頁）
【発明の開示】
【発明が解決しようとする課題】
【００１２】
しかしながら、従来のコンテンツ表示システムでは、広告主の依頼に基づいて広告コンテンツを表示する場合、表示装置は銀行や証券会社の店舗といった人が多く集まる場所に設置されているので、広告主は、自分が依頼した広告コンテンツを自分の店舗で表示して活用することができず、また、なかなか広告コンテンツを目にすることがないため広告内容を確認できないという問題点があった。
【００１３】
本発明は上記実情に鑑みて為されたもので、広告コンテンツを銀行等の人が多く集まる場所で表示すると共に、広告主の店舗において、専用のスケジュールに従って広告コンテンツを表示して、広告主が、自分が依頼した広告コンテンツを自分の店舗において活用することができ、また、広告内容を容易に確認することができるコンテンツ表示システムを提供することを目的とする。
【課題を解決するための手段】
【００１４】
上記従来例の問題点を解決するための本発明は、コンテンツとコンテンツの表示スケジュールとをネットワークを介して配信するサーバと、サーバからネットワークを介してコンテンツ及び表示スケジュールを受信して、表示スケジュールに従ってコンテンツを表示端末に出力する表示制御装置とを備えたコンテンツ表示システムであって、サーバが、表示制御装置に応じた表示スケジュールを生成する手段と、表示制御装置にコンテンツと当該表示制御装置に応じた表示スケジュールを配信する手段と、表示制御装置に配信されるコンテンツの内、広告コンテンツの広告主に応じた広告主用スケジュールを生成する手段と、広告主の店舗に設けられた表示装置に当該広告主の広告コンテンツと広告主用表示スケジュールとを配信する手段とを備えたサーバであるコンテンツ表示システムとしており、広告主は、人が大勢集まる銀行等のコンテンツ表示店舗において広告コンテンツを表示すると共に、自分の店舗においても広告コンテンツを表示して自分の広告コンテンツを活用でき、また、広告内容を容易に確認することができる。
【発明の効果】
【００１５】
本発明によれば、サーバが、表示制御装置に応じた表示スケジュールを生成し、表示制御装置にコンテンツと当該表示制御装置に応じた表示スケジュールを配信すると共に、表示制御装置に配信されるコンテンツの内、広告コンテンツの広告主に応じた広告主用スケジュールを生成して、広告主の店舗に設けられた表示装置に当該広告主の広告コンテンツと広告主用表示スケジュールとを配信するコンテンツ表示システムとしているので、広告主にとっては、人が大勢集まる銀行等のコンテンツ表示店舗において広告コンテンツを表示すると共に、自分の店舗においても自分の広告コンテンツを表示して活用し、宣伝効果を増大させることができ、また、広告内容を容易に確認することができ、更に、コンテンツ表示店舗にとっては、広告表示料が入ることにより、コンテンツ表示の表示コストを低減することができる効果がある。
【発明を実施するための最良の形態】
【００１６】
本発明の実施の形態について図面を参照しながら説明する。
本発明のコンテンツ表示システムは、コンテンツを銀行等のコンテンツ表示店舗に設置された表示端末で表示するだけでなく、サーバが、広告主の依頼したコンテンツを表示する広告主用の表示スケジュールを作成し、表示スケジュールとコンテンツとをコンテンツ表示を依頼した広告主の店舗等に設置された表示装置に送信し、表示装置が、広告主用の表示スケジュールに従って広告主が依頼した広告を含むコンテンツを表示するコンテンツ表示システムとしており、銀行等でコンテンツを表示すると共に、広告主は自分の店舗で自分が依頼したコンテンツを活用して宣伝することが、また、その内容を確認することができ、更に、コンテンツ表示店舗側は、広告表示代金によって情報表示コストを低減できるものである。
【００１７】
図１は、本発明の実施の形態に係るコンテンツ表示システムの概略システム構成図である。尚、図１７と同様の構成をとる部分については同一の符号を付して説明する。
本実施の形態のコンテンツ表示システムは、図１に示すように、コンテンツを配信するセンタに設けられたサーバ１と、入力装置２と、ネットワーク５を介してサーバ１に接続されたコンテンツ表示店舗に設けられた表示制御装置３と、表示端末４と、更に、広告主店舗に設けられた表示装置６とから構成されている。
【００１８】
また、サーバ１は、市場情報や金利情報、ニュース等の各種情報を配信する情報提供サーバ７に接続されている。尚、情報提供サーバ７は複数であっても構わない。
ここで、ネットワーク５は、ＷＡＮと一般的なネットワーク（インターネット）から成るネットワークであり、サーバ１と表示制御装置３とはＷＡＮ又はインターネットによって接続され、サーバ１と表示装置６とはインターネットで接続されている。
【００１９】
上記構成部分の内、表示店舗の表示制御装置３及び表示端末４とは従来と同様の構成となっている。
【００２０】
そして、本システムでは、センタを運営するシステム管理者が、従来と同様に、サーバ１を用いてコンテンツ表示店舗宛に各種情報のコンテンツを配信すると共に、本システムの特徴として、システム管理者が広告主からの広告コンテンツ表示の注文を受け付けて、広告コンテンツをコンテンツ表示店舗と広告主の店舗の両方に配信するようにしており、広告主は、自分の店舗で自分の広告を表示させて広告コンテンツを活用でき、またその内容を確認することができるものである。
【００２１】
各構成部分について具体的に説明する。
センタに設けられた入力装置２は、従来と同様にコンテンツやスケジュールのデータを入力するものであるが、本システムの特徴として、広告主店舗に設けられた表示装置６における表示スケジュール（広告主用スケジュール）のデータを入力する手段を備えているものである。
【００２２】
次に、センタに設けられたサーバ１について図２を用いて説明する。図２は、サーバ１の構成ブロック図である。
図２に示すように、サーバ１は、制御部１１と、コンテンツ記憶部１２と、スケジュール記憶部１３と、配信先記憶部１４と、広告主情報記憶部１５と、各種情報記憶部１６と、配信部１７とを備えている。
【００２３】
制御部１１は、サーバ１全体の制御を行って、各記憶部に対するデータの入出力や、表示スケジュール作成、コンテンツ及び表示スケジュールの配信制御を行うものであり、入力装置２から入力されたコンテンツをコンテンツ記憶部１２に記憶するコンテンツ入力手段と、入力装置２から入力された指示に基づいてスケジュール（単位スケジュール）を作成するスケジュール作成手段と、スケジュールを組み合わせてタイムテーブルを作成するタイムテーブル作成手段と、各々の配信先における表示スケジュール（運用スケジュール）を作成する運用スケジュール作成手段と、配信制御を行う配信手段とを備えている。特に、配信手段は、後述する配信先記憶部１４の内容に基づいてコンテンツ表示店舗の各配信先と、広告主店舗の各配信先にコンテンツと対応するスケジュールとを配信する制御を行うものである。
【００２４】
また、配信部１７は、制御部１１の配信手段からの指示に従って、ネットワーク５を介して各配信先にコンテンツと運用スケジュールを配信するものである。
【００２５】
コンテンツ記憶部１２は、入力装置２から入力されたコンテンツを記憶しているものであり、特に、広告主からの依頼に基づいて入力された広告コンテンツについては、広告主ＩＤとコンテンツとを対応付けて記憶しているものである。
【００２６】
スケジュール記憶部１３は、コンテンツ表示店舗の表示端末４及び広告主店舗の表示装置６における表示スケジュール（運用スケジュール）に番号を付して記憶しているものである。表示スケジュールについては後で詳細に説明する。
【００２７】
配信先記憶部１４は、従来と同様に、サーバ１がネットワーク５を介してコンテンツを配信するために必要な表示制御装置３の宛先情報と、本システムの特徴として、広告主店舗に備えられた表示装置６の宛先情報とを記憶しているものである。
【００２８】
ここで、配信先記憶部１４について図３を用いて説明する。図３は、サーバ１の配信先記憶部１４の説明図である。
図３に示すように、配信先記憶部１４には、配信先の店舗名（店舗名）と、配信先装置のアドレスと、どのコンテンツをいつ表示するかを指定した運用スケジュールの番号とが記憶されている。特に、本システムのサーバ１の配信先記憶部１３には、従来と同様の配信先であるコンテンツ表示店舗の配信先情報と、本システムの特徴である広告主店舗についての配信先情報が記憶されている。
【００２９】
図３に示すように、コンテンツ表示店舗の配信先装置としては、各々の店舗に対応する表示制御装置３のアドレスが記憶されており、広告主店舗の配信先装置としては、表示装置６のアドレスが記憶されている。
【００３０】
また、サーバ１の広告主情報記憶部１５は、広告コンテンツ表示の注文を発注した広告主についての情報を記憶しているものである。
ここで、広告主情報記憶部１５について図４を用いて説明する。図４は、サーバ１の広告主情報記憶部１５の説明図である。
図４に示すように、広告主情報記憶部１５は、広告主ＩＤと、名前と、住所と、パスワードと、表示装置６の番号と、コンテンツ表示の料金と、口座番号等が記憶されているものであり、特に、広告主に対して課金を行うために必要な情報を記憶しているものである。
【００３１】
本システムでは、銀行の店舗等人が多く集まる場所での広告の他に、広告主の店舗においてコンテンツ表示を行うようにしているので、会員登録の際又は広告表示の注文時にコンテンツを表示する表示装置６のアドレス（メールアドレス）を、配信先記憶部１４のコンテンツの配信先装置のアドレスとして登録するようになっている。
【００３２】
例えば、システム管理者が管理する表示装置６を広告表示の注文をした広告主に貸し出し、当該表示装置６の装置番号及びメールアドレスを広告主情報記憶部１５と配信先記憶部１４に登録することが考えられる。また、予め広告主店舗が備えているコンピュータとディスプレイとを表示装置６として用いてコンテンツを表示させる場合には、当該コンピュータのメールアドレスを配信先記憶部１４に登録しておくものである。
【００３３】
広告主情報記憶部１４に記憶されている情報は、システム管理者が行っている本システムを用いたコンテンツ表示サービスの会員登録の際に、広告主によって記入されたシートの内容又は広告主によって入力されたデータに基づいて入力されているものである。
【００３４】
次に、コンテンツ表示店舗用の装置について図５を用いて説明する。図５は、コンテンツ表示店舗に設置されている装置の構成ブロック図である。
コンテンツ表示店舗用の装置は、銀行や証券会社等の店舗に設けられるものであり、図５に示すように、サーバ１からネットワーク５を介して受信したコンテンツデータを表示スケジュールに基づいてＬＡＮ等のネットワークを介して出力する表示制御装置３と、表示制御装置３から受信したコンテンツを表示する表示端末４とから構成されている。
【００３５】
表示制御装置３は、広域ネットワークを介してセンタ装置のサーバ１からコンテンツデータと表示スケジュールを受信する受信部３１と、コンテンツを表示スケジュールに基づいて表示端末４に出力する制御を行う制御部３２と、制御部３２における処理プログラムや受信したコンテンツ及び表示スケジュールを記憶する記憶部３３と、制御部３２からの指示に従ってＬＡＮ等を介して表示端末４にコンテンツを出力する配信部３４とから構成されている。
【００３６】
表示端末４は、表示部を備え、表示制御装置３から入力されたコンテンツデータを順次表示するものである。尚、ここでは表示端末４は１台のみ示しているが、ＬＡＮによって表示制御装置３に複数台の表示端末４が接続されるよう構成しても構わない。
【００３７】
そして、表示制御装置３の制御部３２は、サーバ１からコンテンツと表示スケジュールとを受信すると、記憶部３３に記憶しておき、表示スケジュールに従ってコンテンツを表示端末４に出力して表示させるようになっている。
【００３８】
次に、広告主店舗に設置される表示装置６について図６を用いて説明する。図６は、広告主店舗に設置される表示装置６の概略構成ブロック図である。
図６に示すように、表示装置６は、インターネット等のネットワークを介してコンテンツ及びスケジュールを受信する受信部６１と、表示制御を行う制御部６２と、制御部６２における処理プログラムや受信したコンテンツ及びスケジュールを記憶する記憶部６３と、コンテンツを表示する表示部６４とを備えている。表示装置６は、具体的には、コンピュータと各種ディスプレイの組み合わせ等が考えられる。
【００３９】
そして、表示装置６の制御部６２は、サーバ１から受信したメールに添付されているコンテンツのデータに応じて、動画・静止画・音声・文字情報等を再生する処理を行うものである。この処理プログラムは、表示装置６がシステム管理者が管理しているものである場合には予め記憶部６３にインストールしておいてもよいし、表示装置６が広告主店舗にあった装置である場合には、コンテンツ表示の契約時に、サーバ１から配信するようにしてもよい。
【００４０】
そして、表示装置６は、受信部６１が、サーバ１からのコンテンツ及び表示スケジュールを受信すると、制御部６２に出力し、制御部６２が、コンテンツ及び表示スケジュールを記憶部６３に記憶しておき、現在時刻を表示スケジュールと比較して、表示スケジュールに従ってコンテンツを表示部６４に出力して、表示部６４に再生出力することによりサーバ１で設定されたスケジュール通りにコンテンツの表示が行われるようになっている。
【００４１】
次に、本システムにおける表示スケジュールの設定方法について説明する。
まず、コンテンツ表示店舗向けの表示スケジュール作成について説明する。図７は、スケジュール設定画面の説明図である。
本システムでは、サーバ１に入力された様々なコンテンツの中から配信先に応じてコンテンツを選択して組み合わせて表示スケジュールを作成する。サーバ１では、スケジュール作成をサポートする入力画面のデータを備えており、入力装置２からの指示に基づいて適切な画面のデータを入力装置２に出力して、スケジュール作成のデータ入力を促し、入力に基づいてスケジュール作成手段がスケジュールを作成するようになっている。例えば、システム管理者が、入力装置２において、スケジュール作成の指示を入力すると、入力装置２は、図７に示すスケジュール設定画面を表示する。
【００４２】
スケジュール設定画面は、通常複数のコンテンツを循環表示する短時間のスケジュール（単位スケジュール）を作成する画面であり、サーバ１のコンテンツ記憶部１２に記憶されている複数のコンテンツ（番組）を一覧表示して、入力部（図示せず）からの指示に従って循環表示するコンテンツを登録するものである。
【００４３】
図７に示すように、スケジュール設定画面では、「スケジュール名」と、コンテンツ記憶部１２に記憶されているコンテンツの一覧である「番組リスト」と、既に当該スケジュールに登録されているコンテンツ（番組）名を示す「登録済み循環番組リスト（循環番組リスト）」とを表示し、右側の「循環番組リスト」の任意の位置に「番組リスト」の任意の番組を挿入する「挿入」ボタンと、「循環番組リスト」の末尾に追加する「追加」ボタン、また、「循環番組リスト」から番組を削除する「削除」ボタンが設けられている。
【００４４】
システム管理者は、スケジュール設定画面を開いて任意のコンテンツを選択して、「登録済み循環番組リスト」に加え、番組を循環表示するスケジュールを作成する。図７の例では、「スケジュール１」は、「番組Ａ→番組Ｂ→番組Ｃ」の順で循環表示するスケジュールである。本システムでは、それぞれのスケジュール毎に表示時間帯を設定可能としているので、例えば、スケジュール１は主婦向け、スケジュール２は学生向け、スケジュール３はサラリーマン向け、といった具合に客層を絞り込んだコンテンツの組み合わせとすることが可能である。これにより、広告効果を上げることが期待できる。
【００４５】
システム管理者が表示内容を確認し、「ＯＫ」のボタンが押下されると、スケジュールのデータ（スケジュールデータ）がサーバ１に出力され、スケジュール記憶部１３にスケジュール名とその内容が登録されるようになっている。
【００４６】
ここで、スケジュール記憶部１３のスケジュール記憶テーブルについて図８を用いて説明する。図８は、スケジュール記憶テーブルの説明図である。
図８に示すように、スケジュール記憶テーブルは、スケジュール設定画面で登録された単位スケジュールの内容を記憶するものであり、スケジュール名と、その中で循環表示する番組名と、各々の番組の表示時間とが記憶されているものである。また、ここでは図示されていないが、各々のスケジュールに登録された番組数と、表示時間の合計を算出して記憶しておいてもよい。
【００４７】
図８の例では、スケジュール１、スケジュール２、スケジュール３の３種類の通常のスケジュールに加えて、「デフォルトスケジュール」が登録されている。デフォルトスケジュールは、後述するタイムテーブルの空き時間に表示するよう用意されているスケジュールである。
【００４８】
次に、タイムテーブル設定画面について図９を用いて説明する。図９は、タイムテーブル設定画面の説明図である。
タイムテーブル設定画面は、上述したスケジュール設定画面で登録された複数の単位スケジュールを用いて、一日分の放映スケジュールを設定するものであり、タイムテーブル設定画面からの入力内容に基づいて、タイムテーブル作成手段がスケジュール記憶部１３に登録するものである。
【００４９】
図９に示すように、タイムテーブル設定画面では、「タイムテーブル名」と、サーバ１のスケジュール記憶部１３のスケジュールテーブルに記憶されているスケジュール名の一覧である「スケジュールリスト」と、「スケジュールリスト」の中から、当該タイムテーブルに選択されているスケジュールを示す「登録済みスケジュールリスト」と、各々のスケジュールについて表示開始時刻及び終了時刻を設定する「開始時刻」「終了時刻」ボタンと、「追加」「削除」のボタンが設けられている。「スケジュールリスト」には、それぞれの単位スケジュールに含まれる番組数と、１回の循環に要する時間（循環時間）が表示されている。
【００５０】
そして、タイムテーブル設定時には、開始時刻及び終了時刻を入力して、その時間帯に表示させたい単位スケジュールを選択していく。ここで、「登録済みスケジュールリスト」において、各々のスケジュールの「放映時間」は必ずしも連続していなくても構わない。例えば、図９に示したタイムテーブル１では、１０：００〜１１：００、１２：００〜１５：００の時間帯は表示すべきスケジュールが指定されていないものである。
【００５１】
図９のタイムテーブル設定画面において設定されたデータは、タイムテーブル作成手段によってスケジュール記憶部１３タイムテーブル記憶テーブルに記憶される。図１０は、タイムテーブル記憶テーブルの説明図である。
図１０に示すように、タイムテーブル記憶テーブルでは、タイムテーブル１〜３のそれぞれについて、登録されたスケジュール番号と時間帯とを対応付けて記憶しているものである。ここでは各々のタイムテーブルについて３つのスケジュールが登録されているが、３つに限るものではない。また、タイムテーブルの数も３つに限るものではない。
【００５２】
次に、運用スケジュール設定画面について図１１を用いて説明する。図１１は、運用スケジュール設定画面の説明図である。
運用スケジュール設定画面は、１週間単位の表示スケジュールを登録する画面であり、運用プログラム名、デフォルトスケジュール名、それに曜日毎の、表示のＯＮ／ＯＦＦ、電源ＯＮ／ＯＦＦの時刻、及びタイムテーブル名を登録する画面であり、運用スケジュール作成手段で登録された内容は、運用スケジュール作成手段によってスケジュール記憶部１３に登録されるものである。
【００５３】
図１１の例は、「○○支店」向けの表示スケジュール（運用スケジュール）を設定する画面であり、日曜日〜土曜日、及び祝日のそれぞれについて表示端末４で表示を行う時間帯と、どのタイムテーブルで表示するかを指定しており、この例では、日曜、土曜、祝日は９時に電源をＯＮにして２０時に電源をＯＦＦにし、その間タイムテーブル２に従って表示を行うよう設定されている。また、月曜〜金曜は、８時に電源をＯＮにして１７時にをＯＦＦにし、タイムテーブル１で表示を行うよう設定している。
【００５４】
また、図１１に示した「デフォルトスケジュール」の項目は、タイムテーブルの空き時間にどのスケジュールに従って表示を行うかを指定するものであり、ここでは「デフォルトスケジュール」というスケジュールが設定されているが、別のスケジュール（スケジュール１、２、…）であっても構わない。
デフォルトスケジュールは、図７に示したスケジュール設定画面において設定され、図８に示したスケジュール記憶テーブルにおいて記憶されているものである。
【００５５】
そして、運用スケジュール設定画面の「デフォルトスケジュール」に設定されたスケジュールは、タイムテーブルにおけるスケジュールが設定されていない空き時間に表示されるものである。図１１の例では、例えば、月曜〜金曜は「タイムテーブル１」が設定されているが、１０：００〜１１：００、１２：００〜１５：００の間は特定のスケジュールが設定されていない空き時間となっている。この時間は、図１１の「デフォルトスケジュール」で設定されたデフォルトスケジュールが循環表示されるものである。
【００５６】
そして、図１１の運用スケジュール設定画面において「ＯＫ」が入力された場合には、運用スケジュールは、運用スケジュール番号が付されて、サーバ１のスケジュール記憶部１３の、運用スケジュール記憶テーブルに記憶される。
【００５７】
図１２は、運用スケジュール記憶テーブルの説明図である。図１２に示すように、運用スケジュール記憶テーブルは、図１１の運用スケジュール設定画面で登録された運用スケジュールの内容に番号及び支店の識別情報を付して記憶しているものである。この番号が運用スケジュール番号であり、図３に示した配信先記憶部１４に「運用スケジュール番号」として記憶されるものである。
【００５８】
また、サーバ１からコンテンツを配信する際には、入力されたコンテンツをそのまま配信して１画面に表示させる方法もあるが、例えば、複数のコンテンツを１画面内に組み合わせて作成したコンテンツ画面を配信することも考えられる。
コンテンツ表示店舗における表示画面の例について図１３、図１４を用いて説明する。図１３及び図１４は、コンテンツ表示店舗における表示画面例を示す説明図である。
【００５９】
図１３及び図１４に示す画面のように、画面分割して分割された画面毎に異なる情報を表示して、コンテンツ画面を作成する場合の動作について簡単に説明する。
まず、サーバ１の記憶部に、予め画面を分割して作成した表示領域を備えた画面パターンを記憶しておき、コンテンツ表示店舗側の要求に基づいて入力装置２から入力された指示に従って、サーバ１が、画面パターンを選択し、コンテンツを選択し、指定された表示領域に各々のコンテンツのデータを組み込んで一画面分のデータとする。
【００６０】
図１３の例では、金利情報等とコンテンツ（広告コンテンツ等）を左右に分割した画面に表示した画面に一度に表示する例を示している。
金利情報は、金利情報を提供する情報提供サーバ７等からサーバ１に入力され、各種情報記憶部に記憶されている。この場合には、金利情報は１日１回または数回の更新とし、右側の領域に表示する広告コンテンツを運用スケジュールに従って循環表示したり切り替えて表示するといった表示方法が考えられる。
【００６１】
具体的には、画面左側に表示する金利情報は、変動する可能性があるため、表示制御装置３の表示プログラムでは、記憶部３３の金利情報を記憶する特定のアドレスを指定して、ここに格納されているデータを画面の左側に表示するようプログラムしておき、サーバ１から最新の金利情報を受信すると、当該アドレスのデータを更新する。これにより、図１３に示すように画面左側に最新の金利情報を表示し、残りの右側には、上述したようにコンテンツをスケジュール通り表示することが可能となる。
【００６２】
また、図１４の例では、市場情報等とコンテンツを上下に分割した画面に一度に表示し、市場情報をスクロール表示する例を示している。
市場情報は、時々刻々と変化し、市場情報を提供する情報提供サーバ７等からサーバ１に入力され、各種情報記憶部１６に記憶されている。この場合には上側の領域に表示する広告コンテンツを運用スケジュールに従って表示し、下側の市場情報は、最新情報を情報提供サーバ７から受信する毎にデータを更新して、株価等をスクロール表示する方法が考えられる。
【００６３】
この場合も、画面下側に表示する市場情報は随時変動するため、表示制御装置３の表示プログラムでは、記憶部３３の市場情報を記憶する特定のアドレスを指定して、ここに格納されているデータを画面下側でスクロール表示を行うようプログラムしておき、サーバ１から最新の市場情報を受信すると当該アドレスのデータを更新する。これにより、図１４に示したように、画面上側にコンテンツをスケジュール通り表示し、下側には最新の市場情報をスクロール表示することが可能となるものである。
【００６４】
次に、本システムの特徴部分である広告主店舗に表示するコンテンツのスケジュールについて図１５を用いて説明する。図１５は、広告主用スケジュールの例を示す説明図である。
【００６５】
本システムでは、広告主が依頼した広告コンテンツを、銀行等のコンテンツ表示店舗だけで表示するのではなく、広告主の店舗においても表示して、広告効果の増大を図るものであり、広告主店舗のスケジュールは、各々の広告主専用のスケジュールとなっている。そして、広告主用スケジュールは、基本的には、当該広告主の広告コンテンツを循環表示するよう設定されるものである。
【００６６】
図１５に示すように、本システムの広告主用スケジュールは、番号（運用スケジュール番号）と、広告主ＩＤと、番組名と、それに対応する表示時間、そして補助番組が指定されているものである。ここで記憶されている番組名は、コンテンツ記憶部１２において、当該広告主ＩＤに対応して記憶されているコンテンツであり、すなわち、広告主が表示依頼した広告コンテンツである。
【００６７】
また、広告主店舗に配信されるコンテンツは、通常、広告主が依頼した自社の広告コンテンツであるから、コンテンツ表示店舗で表示されるコンテンツに比べて種類が少ないと考えられる。しかし、あまり短時間に何度も同じ広告が表示されるのは、かえって広告効果を低減させてしまうおそれがあるため、循環時間を長くするために、本システムでは、「補助番組」を用意している。補助番組は、サーバ１のコンテンツ記憶部１２に記憶されているものである。
【００６８】
「補助番組」は、例えば「補助番組１」は「風景映像と音楽」、「補助番組２」は「主婦向け生活情報」、「補助番組３」は「今日のニュース」等、広告主店舗の来店者になじみやすく、有益な情報を備えたものが考えられる。そして、補助番組は、入力装置２から入力されたものでもよいし、各種情報サーバから提供された情報でもよく、また、これらの情報を編集加工したものであってもよい。図１６は、補助番組の説明図である。
【００６９】
図１６に示すように、「補助番組１」の中には更に補助番組１−１、１−２…という具合に、同じ趣の番組が複数備えられている。そして、図１５に示した広告主用スケジュールで循環表示する際に、補助番組として「補助番組１」が選択されていると、「広告１→広告２→広告３→補助番組１−１→広告１→広告２→広告３→補助番組１−２→広告１…」というように、補助番組の中でも循環的に番組を表示して、表示に変化を持たせ、来店客に飽きさせないよう配慮している。
【００７０】
そして、図３に示したサーバ１の配信先記憶部１４の「運用スケジュール番号」として、図１５に示した広告主用スケジュールの番号を登録しておくことにより、サーバ１が、登録された広告主用スケジュールと、該当するコンテンツとを表示装置６に配信し、表示装置６が広告主用スケジュールに従って、コンテンツの表示を行うようになっている。
【００７１】
更に、広告主の希望に応じて補助番組を表示しないスケジュールとしてもよいし、また、より多くの広告を持っている広告主の場合には、図７〜図１４を用いて説明したコンテンツ表示店舗用の運用スケジュール作成と同様にスケジュールを組んでもよい。すなわち、図１０に示したように、サーバ１で、広告主用スケジュールを時間帯毎に組み合わせたタイムテーブルを作成したり、タイムテーブルを曜日毎に選択して運用スケジュールを組んで、その運用スケジュールを表示装置６に配信することも可能である。
【００７２】
この場合、広告主店舗で表示するコンテンツのタイムテーブルとしては、広告コンテンツや補助番組を午前中は主婦向け、３時以降は学生向け、という具合に時間帯に応じて選択したタイムテーブルを作成しておき、その時間帯に多く来店している客の注目を集める表示を行うことが考えられる。
【００７３】
尚、広告主スケジュールを作成する広告主スケジュール作成手段は、図示を省略するが、サーバ１の制御部１１に設けられているものである。そして、他の作成手段と同様に、スケジュール作成のための入力をサポートする画面データを備えており、入力装置２に画面データを表示して、システム管理者が広告主の希望に基づいて広告主スケジュールを作成するようにしている。
【００７４】
次に、本システム全体の処理の流れについて図１及び図２を用いて説明する。
まず、本システムを用いた広告表示サービスに予め会員登録している広告主が本システムのシステム管理者にコンテンツ表示を発注する。その際、広告主は、広告主ＩＤとパスワードを入力し、システム管理者は、サーバ１の広告主情報記憶部１５に記憶されている広告主ＩＤ及びパスワードと比較して、一致した場合に会員であることを認証し、コンテンツ表示の注文を受け付ける。
【００７５】
尚、システム管理者は、広告主に対して、コンテンツ表示だけでなく、コンサルティングやコンテンツ作成を請け負うようにしてもよい。
【００７６】
そして、システム管理者は、入力装置２を介して、コンテンツをサーバ１に入力する。または、ネットワークを介して外部の入力装置からサーバ１宛に送信されたコンテンツをサーバ１が入力する。サーバ１に入力されたコンテンツは、サーバ１のコンテンツ記憶部１２に広告主ＩＤと対応付けて記憶される。
【００７７】
システム管理者は、まず、銀行等のコンテンツ表示店舗における表示についての広告主の希望を聞き、サーバ１の広告主情報記憶部１５に記憶しておく。これは、課金の条件となる情報であり、表示場所、表示時間帯、表示形態等のパラメータがある。
【００７８】
更に、システム管理者は、本システムの特徴として、広告主の店舗における表示について広告主の希望を聞き、それに応じて、どのコンテンツをいつ表示するかを指定する広告主用スケジュール（図１５参照）を作成し、サーバ１のスケジュール記憶部１３、配信先記憶部１４に登録する。上述したように、広告主店舗の表示装置６で表示するコンテンツは、通常、広告主の広告コンテンツ（自社の広告）であるが広告主の希望に応じて他のコンテンツを表示するようにしてもよい。
【００７９】
そして、サーバ１は、登録された広告主用スケジュールと、スケジュールに規定された広告コンテンツとを、広告主情報テーブル１５及び配信先記憶部１４に登録されている表示装置６のアドレス宛に配信する。
【００８０】
そして、広告主店舗の表示装置６が、広告主用スケジュールに基づいて、コンテンツの表示を行う。
【００８１】
また、システム管理者は、同様にして多くの広告主からコンテンツ表示の注文を受け付け、サーバ１が、各々の広告主に対して、広告主店舗用の表示スケジュールを作成してコンテンツを配信すると共に、各々の広告主からのコンテンツ表示店舗における表示の希望と、各コンテンツ表示店舗からの表示の希望に基づいて、コンテンツ表示店舗用の運用スケジュールを作成して、各コンテンツ表示店舗用装置の表示制御装置３に運用スケジュールとコンテンツとを配信する。コンテンツ表示店舗において表示されるコンテンツは、広告主から注文された複数の広告コンテンツだけではなく、金利情報や、市場情報等の各種情報のコンテンツが含まれるものである。
【００８２】
そして、コンテンツ表示店舗用装置の表示制御装置３は、サーバ１から送信された表示スケジュールとコンテンツとを記憶しておき、表示スケジュールに従ってコンテンツを表示端末４に出力して表示端末４がコンテンツを表示する。
【００８３】
このようにして、本システムでは、広告主が、コンテンツ表示店舗で表示される自社の広告コンテンツを自分の店舗でも表示させて広告を行うことができると共に、広告の内容を確認することができるものである。特に、本システムを用いたコンテンツ表示サービスは、商店街の店が、自分の店の広告コンテンツを、商店街の中にある銀行の支店と自分の店舗で表示する、といったように地域に密着した情報を表示するようにすると、話題性が向上して、宣伝効果が増大することが期待できるものである。
【００８４】
また、広告主店舗の表示装置６は、広告主の店舗内に設置して店舗内の来店客に向けて表示してもよいし、店頭やウインドウ等から外部に向けて設置して、通行人等の不特定多数の人に向けて表示することも可能であり、外部に向けて広告コンテンツを表示することにより、宣伝効果を一層高めることが期待できるものである。
【００８５】
そして、サーバ１は、表示スケジュール及び表示実績に基づいて、広告主毎の課金データを作成し、広告主記憶部１５に登録し、システム管理者が広告主に料金を請求する。
【００８６】
また、システム管理者は、銀行等のコンテンツ表示店舗に対しては、金利情報や市場情報等の各種情報を表示したことについての料金を請求するが、広告主から徴収した広告料の一部をコンテンツ表示店舗に広告表示代として支払う。つまり、コンテンツ表示店舗に対する各種情報の表示料金から広告表示代を割引きしたり、場合によっては相殺することも考えられる。これにより、コンテンツ表示店舗は、金利情報や市場情報等の各種情報の表示料金を広告代によって補うことができるものであり、表示システムの運用費用を大幅に低減できるものである。
【００８７】
そして、システム管理者は、銀行等のコンテンツ表示店舗に対して、低料金で各種情報表示のサービスを提供できるため、表示システムの加入者を増やすことができ、また、広告主に対しては、コンテンツ表示店舗での広告の他に、自分の店舗での広告表示サービスを提供することができ、多くの広告主を集めることができるものである。
【００８８】
次に、本システムにおける広告主に対する課金について簡単に説明する。
本システムでは、広告コンテンツ表示の注文を行った広告主毎に、広告主情報記憶部にコンテンツ表示の実績を記憶し、それに基づいて広告料金を課金する。
広告料金を従量制とした場合のパラメータとしては、（１）コンテンツ表示時間（２）表示回数（単位時間毎、日毎、月毎）（３）表示台数（４）表示形態（テキスト表示、静止画、動画、音声の有無等）（５）その他、があり、これらのパラメータの中から適切なものを選択して、条件を決定して課金する。
また、従量制ではなく、定額制とすることも可能である。
【００８９】
本発明の実施の形態に係るコンテンツ表示システムによれば、広告主から依頼されたコンテンツを、サーバ１がスケジュールと一緒に銀行等のコンテンツ表示店舗に設けられた表示制御装置３に配信し、表示制御装置３が、スケジュールに従ってコンテンツを表示端末４に表示すると共に、広告コンテンツの表示を依頼した広告主の店舗（広告主店舗）に表示端末４を設け、広告主店舗用のスケジュールを作成して、広告主用スケジュールと当該広告主が注文した広告とを広告主店舗の表示装置６に出力し、表示装置６が広告主用スケジュールに従ってコンテンツを表示するコンテンツ表示システムとしているので、広告主は、依頼した広告コンテンツを人が多く集まる銀行等のコンテンツ表示店舗に表示すると共に、自分の店舗においても同じ広告コンテンツを表示して、自分の店舗内でも広告コンテンツを活用した宣伝ができ、更に広告内容を容易に確認できる効果がある。
【００９０】
また、本システムによれば、サーバ１を管理するシステム管理者は、広告主からの広告料を徴収し、その一部をコンテンツ表示店舗に広告表示代として支払うようにしているので、コンテンツ表示店舗は、金利情報や市場情報といった各種情報の表示料金を広告表示代で補ったり相殺することができ、来店客に低コストで各種情報の表示を提供することができる効果がある。
【００９１】
更に、システム管理者は、低価格でコンテンツ表示店舗に各種情報の表示を提供することができ、情報表示サービスへの加入店舗数を増やすことができる効果がある。
【産業上の利用可能性】
【００９２】
本発明は、人が多く集まる場所での広告を行うと共に、広告主の店舗で広告コンテンツを表示して、広告主が、自分が依頼した広告コンテンツを自分の店舗において確認することができ、また、銀行等のコンテンツ表示店舗における負担を広告表示料によって補い、コンテンツ表示店舗の表示コストを低減することができるコンテンツ表示システムに適している。
【図面の簡単な説明】
【００９３】
【図１】本発明の実施の形態に係るコンテンツ表示システムの概略システム構成図である。
【図２】サーバ１の構成ブロック図である。
【図３】サーバ１の配信先記憶部１４の説明図である。
【図４】サーバ１の広告主情報記憶部１５の説明図である。
【図５】コンテンツ表示店舗に設置されている装置の構成ブロック図である。
【図６】広告主店舗に設置される表示装置６の概略構成ブロック図である。
【図７】スケジュール設定画面の説明図である。
【図８】スケジュール記憶テーブルの説明図である。
【図９】タイムテーブル設定画面の説明図である。
【図１０】タイムテーブル記憶テーブルの説明図である。
【図１１】運用スケジュール設定画面の説明図である。
【図１２】運用スケジュール記憶テーブルの説明図である。
【図１３】コンテンツ表示店舗における表示画面例を示す説明図である。
【図１４】コンテンツ表示店舗における表示画面例を示す説明図である。
【図１５】広告主用スケジュールの例を示す説明図である。
【図１６】補助番組の説明図である。
【図１７】従来のコンテンツ表示システムの一例を示す概略構成ブロック図である。
【符号の説明】
【００９４】
１…サーバ、  ２…入力装置、  ３…表示制御装置、  ４…表示端末、  ５…ネットワーク、  ６…表示装置、  １１…制御部、  １２…コンテンツ記憶部、  １３…スケジュール記憶部、  １４…配信先記憶部、  １５…広告主記憶部、  １６…各種情報記憶部、  １７…配信部、  ３１…受信部、  ３２…制御部、  ３３…記憶部、  ３４…配信部、  ６１…受信部、  ６２…制御部、  ６３…記憶部、  ６４…表示部
【図１】
2005115445.tif 000003
【図２】
2005115445.tif 000004
【図３】
2005115445.tif 000005
【図４】
2005115445.tif 000006
【図５】
2005115445.tif 000007
【図６】
2005115445.tif 000008
【図７】
2005115445.tif 000009
【図８】
2005115445.tif 000010
【図９】
2005115445.tif 000011
【図１０】
2005115445.tif 000012
【図１１】
2005115445.tif 000013
【図１２】
2005115445.tif 000014
【図１５】
2005115445.tif 000015
【図１６】
2005115445.tif 000016
【図１７】
2005115445.tif 000017
【図１３】
2005115445.tif 000018
【図１４】
2005115445.tif 000019